(57)【要約】      （修正有）【課題】静電容量式タッチパネルに有利に使用される導電性フィルムを提供する。【解決手段】透明フィルムの一方の表面に、多数のダイヤモンド型センサー部１が、そのセンサー部の両先端部において接続部２を介して電気的に接続して、多数の平行したＸ軸センサーライン（Ｘ−１、Ｘ−２およびＸ−３）を形成し、前記透明フィルムの他方の表面に、多数のダイヤモンド型センサー部がそのセンサー部の両先端部において接続部を介して電気的に接続して、多数の平行したＹ軸センサーラインを形成し、前記透明フィルムを平面上から見た場合、Ｘ軸のダイヤモンド型センサーの多数の平行したラインにおいて形成された多数の空隙部に、Ｙ軸のダイヤモンド型センサー部が配置されるように、Ｘ軸のダイヤモンド型センサーラインとＹ軸のダイヤモンド型センサーラインとを直交して配列する、ことを特徴とする導電性フィルム。【選択図】図１
2014071869.tif 000002
【特許請求の範囲】
【請求項１】
透明フィルムの両面に下記（１）〜（６）の要件を満足する多数のセンサーラインを
形成した導電性フィルム。
（１）透明フィルムの一方の表面（Ａ面）に、多数のダイヤモンド型センサー部が
そのセンサー部の両先端部において接続部を介して電気的に接続して、多数の平行し
たＸ軸センサーラインを形成し、
（２）前記透明フィルムの他方の表面（Ｂ面）に、多数のダイヤモンド型センサー
部がそのセンサー部の両先端部において接続部を介して電気的に接続して、多数の平
行したＹ軸センサーラインを形成し、
（３）前記Ａ面およびＢ面におけるダイヤモンド型センサー部は一辺が３〜１０ｍｍ
の四辺形の形状を有し且つ１〜１０μｍの幅を有する銅線が多数平行し且つ一部網
状化したパターンで配列されたセンサー部を形成し、
（４）前記Ａ面およびＢ面におけるダイヤモンド型センサー部の両先端部の接続部は
１〜１０μｍの幅を有する銅線が２〜５本が平行し且つ一部網状化して配列されて
形成され、    
（５）前記透明フィルムを平面上から見た場合、Ｘ軸のダイヤモンド型センサーの多
数の平行したラインにおいて形成された多数の空隙部に、Ｙ軸のダイヤモンド型セン
サー部が配置されるように、Ｘ軸のダイヤモンド型センサーラインとＹ軸のダイヤモ
ンド型センサーラインとを直交して配列する、
（６）前記Ａ面およびＢ面におけるセンサーラインは、それぞれのセンサーラインの
端末から電気的に端子に接続されている。
【請求項２】
前記Ａ面およびＢ面のダイヤモンド型センサー部における銅線は１〜３μｍの厚
みを有する請求項１記載の導電性フィルム。  
【請求項３】
前記Ａ面およびＢ面のダイヤモンド型センサー部における銅線は０．２〜１ｍｍの
間隔（ピッチ）で平行に配列されている請求項１記載の導電性フィルム。
【請求項４】
前記Ａ面およびＢ面におけるセンサーラインは、それぞれのセンサーラ
インの端末から端子まで配線電極でつながっているが、該配線電極はセンサーと
同じ材料で形成され、その配線線幅が１０〜１００μｍで配線間のスペースが１０
〜１００μｍである請求項１記載の導電性フィルム。
【請求項５】
透明フィルムは、５０〜３００μｍの厚みを有するポリエチレンテレフタレートフィ
ルムである請求項１記載の導電性フィルム。
【請求項６】
請求項１記載の導電性フィルムを使用した静電容量式タッチパネル。
【発明の詳細な説明】
【技術分野】
【０００１】
本発明は導電性フィルムおよびそれを使用した静電容量式タッチパネルに関する。
さらに詳しくは、一枚の透明フィルムの両面に導電性層を形成させた導電性
フィルムおよびそれを使用した静電容量式タッチパネルに関する。
【背景技術】
【０００２】
タッチパネルは構造が比較的簡単であり且つ安価であり、指入力が可能であっ
て、その利便性のよさから市場が拡大しつつある。そのタッチパネルは抵抗膜式、
静電容量式及び光学式など種々の方式が提案されているが、これらのうち抵抗膜
式及び静電容量式が主流を占めている。
特に静電容量式は、マルチ入力が比較的容易であることから、携帯電話を中心
にその市場が急速に増大している。しかし現在市販されている静電容量式タッチ
パネルはその表示面のサイズが小型であり、大きい画面のものは未だ普及しては
いない。その理由の１つは、静電容量式に適した構造材料の電気特性が大きい画
面に対応できる程充分でないことにある。
【発明の開示】
【発明が解決しようとする課題】
【０００３】
本発明者は、透明性及び導電性が優れ、且つ大型画面化に適したタッチパネル
構造材料、殊に静電容量式に適したタッチパネル構造材料を提供することを目的
として研究した結果、本発明に到達したものである。
【課題を解決するための手段】
【０００４】
本発明者は、導電性金属の微細線を透明フィルムの表面に多数配列して形成さ
せた電極基板を得ることが最近比較的可能になったことに鑑み、その電極基板に
おける導電性金属の微細線の形や細さ、さらに多数の微細線の配置の形態を種々
検討し研究を進めた結果、或る一定の微細線を一定間隔で多数平行に配置し且つ
隣接する２〜６本を一組として多数の導電ラインとして配置したものは、静電容
量式タッチパネル用の構造材料として、特に大型画面用のものの構造材料として
有利に利用できることが判明した。
前記した電極基板を使用して静電容量式タッチパネルに利用するには、２つの
電極基板を作成し、それぞれの電極基板における導電性金属線が形成されている
面が向い合い且つそれぞれの導電性金属線の平行する方向が直交するように絶縁
性の透明接着剤層を介して貼り合せることが必要である。このように２種の電極
基板を作成し且つそれらを精密に貼り合せることは、工程が煩雑となるばかりで
なく、僅かの貼り合せのズレが不良品化となり、経済的に望ましいことではな
かった。
【０００５】
そこで本発明者は、一枚の透明フィルムの一方の表面（Ａ面）に、多数のダイ
ヤモンド型センサー部がそのセンサー部の両先端において接続して多数の平行し
たＸ軸センサーラインを形成し、他方の表面（Ｂ面）にもＡ面と同様の多数の平
行したセンサーラインをＹ軸として形成させることによって、一枚の透明フィル
ムの両面にそれぞれＸ軸とＹ軸とが配置された導電性フィルムが容易に得られ、
この導電性フィルムは２枚の導電性を貼り合せる工程が不必要であり、コスト的
にも有利であることが判明した。この導電性フィルムは導電性に優れ、静電容量
式タッチパネルの材料として優れた特性を有し、殊に大型の静電容量式タッチパ
ネルの材料として適していることが判明した。
本発明はかかる究明事実に基づいて到達されたものであって、本発明によれば
下記導電性フィルムおよびそれを電極基板材料として使用した静電容量式タッチ
パネルが提供される。
【０００６】
（Ｉ）一枚の透明フィルムの両面に下記（１）〜（６）の要件を満足する多数
のセンサーラインを形成した導電性フィルム。
（１）透明フィルムの一方の表面（Ａ面）に、多数のダイヤモンド型センサー
部が、そのセンサー部の両先端部において接続部を介して電気的に接続して、
多数の平行したＸ軸センサーラインを形成し、
（２）前記透明フィルムの他方の表面（Ｂ面）に、多数のダイヤモンド型セン
サー部がそのセンサー部の両先端部において接続部を介して電気的に接続して、
多数の平行したＹ軸センサーラインを形成し、
（３）前記Ａ面およびＢ面におけるダイヤモンド型センサー部は一辺が３〜１０
ｍｍの四辺形の形状を有し且つ１〜１０μｍの幅を有する銅線が多数平行し且つ
一部網状化したパターンで配列されたセンサー部を形成し、
（４）前記Ａ面およびＢ面におけるダイヤモンド型センサー部の両先端部の接続
部は、１〜１０μｍの幅を有する銅線が２〜５本が平行し且つ一部網状化して配
列されて形成され、
（５）前記透明フィルムを平面上から見た場合、Ｘ軸のダイヤモンド型センサー
の多数の平行したラインにおいて形成された多数の空隙部に、Ｙ軸のダイヤモン
ド型センサー部が配置されるようにＸ軸のダイヤモンド型センサーラインとＹ
軸のダイヤモンド型センサーラインとを直交して配列する、
（６）前記Ａ面およびＢ面におけるセンサーラインは、それぞれのセンサーライ
ンの端末から電気的に端子に接続されている、
（II）前記Ａ面およびＢ面のダイヤモンド型センサー部における銅線は、１〜３
μｍの厚みを有する前記（I）記載の導電性フィルム。
（III）前記Ａ面およびＢ面のダイヤモンド型センサー部における銅線は０．２〜
１ｍｍの間隔（ピッチ）で平行に配列されている前記（I）記載の導電性フィルム。
（IV）前記Ａ面およびＢ面におけるセンサーラインは、それぞれのセンサーラ
インの端末から端子まで配線電極でつながっているが、該配線電極はセンサーと
同じ材料で形成され、その配線線幅が１０〜１００μｍで配線間のスペースが
１０〜１００μｍである前記（I）記載の導電性フィルム。
（V）透明フィルムは、５０〜３００μｍの厚みを有するポリエチレンテレフタ
レートフィルムである前記（I）記載の導電性フィルム。
（VI）前記（I）記載の導電性フィルムを使用した静電容量式タッチパネル。
【発明の効果】
【０００７】
本発明の導電性フィルムは、一枚の透明フィルムの両面（Ａ面およびＢ面）
にそれぞれに多数のダイヤモンド型センサー部が電気的に接続して多数の平行し
たセンサーラインを形成してＸ軸とＹ軸とを形成し、Ａ面およびＢ面におけるダ
イヤモンド型センサー部はほぼ四辺形の形状であってそのセンサー部においては、
１〜１０μｍの幅を有する銅線が多数平行し且つ一部網状化したパターンで配列
されている。この透明フィルムを平面上から見た場合、Ｘ軸のダイヤモンド型セ
ンサー部の多数の平行したセンサーラインにおいて形成された多数の空隙部にＹ
軸のダイヤモンド型センサー部が配置されるように、Ｘ軸のセンサーラインとＹ
軸のセンサーラインとが直交するように配置される。
【０００８】
前記本発明の導電性フィルムは、一枚の透明フィルムであるから、二枚のフィ
ルムを貼り合せる必要はなく加工性に優れている。またＡ面およびＢ面のいずれ
にも微細な多数の銅線によりダイヤモンド型センサー部が形成されているので
導電性に優れ、微量の静電容量も感度よく捕捉でき、そのため静電容量式タッチ
パネル用の電極材料に適している。殊に大型の画面を有する静電容量式
タッチパネルに有利に利用できる。
【図面の簡単な説明】
【０００９】
【図１】本発明の導電性フィルムの一方の表面（Ａ面）において多数のダイヤモンド型センサー部によって形成された多数の平行したＸ軸センサーラインの部分拡大図を示す。
【図２】本発明の導電性フィルムの他方の表面（Ｂ面）において多数のダイヤモンド型センサー部によって形成された多数の平行したＸ軸センサーラインの部分拡大図を示す。
【発明を実施するための形態】
【００１０】
本発明の導電性フィルムに使用される透明フィルムは、樹脂フィルムであって
透明性に優れたものであれば良く、例えば、ポリエステルフィルム、ポリカーボ
ネートフィルム、ポリオレフィンフィルムまたはポリシクロオレフィンフィルム
などが例示できるが好ましくはポリエステルフィルムである。具体的には、ポリ
エチレンテレフタレート（ＰＥＴ）フィルムまたはポリエチレン−２．６−ナフ
タレート（ＰＥＮ）フィルムが好ましく、特に好ましいのはポリエチレンテレフ
タレート（ＰＥＴ）フィルムである。これら透明フィルムは２軸延伸されたものが
好ましく使用され、その厚みは、５０〜３００μｍが適当であり、特に好ましくは
８０〜２５０μｍである。
次に本発明の導電性フィルムについて図面により説明する。
図１は本発明の導電性フィルムの一方の表面（Ａ面）において多数のダイヤ
モンド型センサー部によって形成された多数の平行したＸ軸センサーラインの部分
拡大図を示す。
【００１１】
図１において、ダイヤモンド型センサー部１は、その両先端部において接続部
２を介してその多数が連続的に接続してＸ軸における１つのセンサーライン（Ｘ
−１）を形成している。図１では３つのセンサーライン（Ｘ−１、Ｘ−２および
Ｘ−３）が平行して形成されていることを示している。このＸ軸における各
センサーラインは図１においてほぼ縦方向に平行して配置されている。ここで縦
方向とは１つのセンサーラインにおける各ダイヤモンド型センサー部における接
続部２（センサー部の接続する両先端）を結ぶ線が図面上で上下方向にほぼ垂直
な直線を形成していることを意味する。すなわち、Ｘ−１、Ｘ−２およびＸ−３
の各センサーラインは、その軸方向が平行して図面上縦方向（上下方向）に配列
している。
【００１２】
次にダイヤモンド型センサー部１について説明する。このダイヤモンド型セン
サー部１は、一辺が３〜１０ｍｍ、好ましくは４〜９ｍｍの四辺形の形状を有し、
具体的には正四角形乃至菱形であるのが好適である。このダイヤモンド型セン
サー部１においては、微細な銅線が多数平行に且つ一部網状化したパターンで配
列されている。この微細な銅線は幅が１〜１０μｍ、好ましくは２〜８μｍであ
り、その厚みは０．１〜５μｍ、好ましくは０．１〜４μｍであるのが有利である。
この平行した多数の銅線の間隔（ピッチ間隔）は０．２〜１ｍｍ、好ましくは０．３
〜０．８ｍｍが有利である。多数の平行した銅線に対して、一部網状化
した銅線（以下“網状化線”と略称することがある）の幅と厚みは、前述した平
行した銅線の幅と厚みの範囲から選択される。
ダイヤモンド型センサー部１における網状化線は、銅線が部分的にまたは局所
的に傷付いたり或いは破談した場合に、ダイヤモンドセンサー部１内の導電ライ
ンが電気的に接線を維持するために機能している。網状化線は、平行した銅線の
長さ方向の１０ｍｍに対して１本〜５本、好ましくは２〜５本であるのが望まし
い。網状化線の形状と数の一つの好ましい態様は、図１に示すように平行した多
数の銅線に対して同じ間隔で且つ直交するように配列することである。
【００１３】
またダイヤモンドセンサー部１における多数の平行する銅線の配列方向は、Ｘ
軸（センサーラインの方向）とほぼ同じでも良いが図１に示すように或る程度の
角度（例えば１０°〜４５°）を有して配列することが望ましい。多数の平行する
銅線を、Ｘ軸の方向と平行に配列した場合、静電容量式タッチパネルの導電性
フィルムとして使用するとモアレ現象が発生する恐れがある。ダイヤモンド型セン
サー部１の四辺形における相対する頂点の長さ（対角線の長さ）は５〜８ｍｍ、
好ましくは６〜７ｍｍが有利である。
図１に示すように隣接する２つのダイヤモンドセンサー部は、接続部２を介して
電気的に接続している。この接続部２は、通常銅線が２〜５本、好ましくは３〜４
本平行して配列されている。この接続部２は平行する銅線の一部が網状化されて
いてもよい。接続部２における銅線の幅と厚みは、ダイヤモンド型センサー部に
おける銅線の前記の範囲から選択される。
以上本発明の導電性フィルムのＡ面について説明したが次に他方の表面（Ｂ面）
について、図２により説明する。
【００１４】
図２は、本発明の導電性フィルムの他方の表面（Ｂ面）において多数のダイヤ
モンド型センサー部によって形成された多数の平行したＹ軸センサーラインの部
分拡大図を示す。
図２においてダイヤモンドセンサー部１は、その両先端部において接続部２を
介してその多数が電気的に接続してＹ軸の１つのセンサーライン（Ｙ−１）を形成
している、図２では説明上２つのセンサーライン（Ｙ−１とＹ−２）が平行して
形成されていることを示している。このＹ軸における各センサーラインは、図２に
おいて、図面上ほぼ横方向に平行して配置されている。ここで横方向とは１つの
センサーラインにおける各ダイヤモンド型センサー部１における接続部２（セン
サー部の接続する両先端部）を結ぶ線が図面上で左右方向にほぼ直線状を形成し
ていることを意味する。すなわちＹ−１とＹ−２のセンサーラインは、それらの
軸方向が平行して図面上横方向（左右方向）に配置されている。
【００１５】
次にＢ面におけるＹ軸を形成しているダイヤモンド型センサー部１について説
明するが、基本的にはＡ面におけるＸ軸とＢ面におけるＹ軸とは、同じような形
状および構造を有するダイヤモンド型センサー部を形成している。
すなわち、Ｂ面におけるＹ軸のダイヤモンド型センサー部１は、一辺が３〜
１０ｍｍ、好ましくは４〜９ｍｍの四辺形の形状を有し、具体的には正四角形乃
至菱形であるのが好適である。このダイヤモンド型センサー部１においては、微
細な銅線が多数平行に且つ一部網状化したパターンで配列されている。この微細
な銅線は幅が１〜１０μｍ、好ましくは２〜８μｍであり、その厚みは０．１〜
５μｍ、好ましくは０．１〜４μｍであるのが有利である。この平行した多数の
銅線の間隔（ピッチ間隔）は０．２〜１ｍｍ、好ましくは０．３〜０．８ｍｍが有
利である。多数の平行した銅線に対して、一部網状化した銅線（以下“網状化線”
と略称することがある）の幅と厚みは、前述した平行した銅線の幅と厚みの範囲
から選択される。
【００１６】
ダイヤモンド型センサー部１における網状化線は、銅線が部分的にまたは局所
的に傷付いたり或いは破談した場合に、ダイヤモンドセンサー部１内の導電ライ
ンが電気的に接続を維持するために機能している。網状化線は、平行した銅線の
長さ方向の１０ｍｍに対して１本〜５本、好ましくは２〜５本であるのが望まし
い。網状化線の形状と数の一つの好ましい態様は図２に示すように、平行した多
数の銅線に対して同じ間隔で且つ直交するように配列することである。
またダイヤモンドセンサー部１における多数の平行する銅線の配列方向は、Ｙ
軸（センサーラインの方向）とほぼ同じでもよいが図２に示すように或る程度の
角度（例えば１０°〜４５°）を有して配列することが望ましい。多数の平行す
る銅線を、Ｙ軸の方向と平行に配列した場合、静電容量式タッチパネルの導電性
フィルムとして使用するとモアレ現象が発生する恐れがある。ダイヤモンド型セ
ンサー部１の四辺形における相対する頂点の長さ（対角線の長さ）は５〜８ｍｍ
好ましくは６〜７ｍｍが有利である。
【００１７】
図２に示すように隣接する２つのダイヤモンドセンサー部は、接続部２を介し
て電気的に接続している。この接続部２は、通常銅線が２〜５本、好ましくは３
〜４本平行して配列されている。この接続部２は平行する銅線の一部が網状化さ
れていてもよい。接続部２における銅線の幅と厚みは、ダイヤモンド型センサー
部における銅線の前記の範囲から選択される。
本発明の導電性フィルムは、一枚の透明フィルムの一方の面（Ａ面）に前記Ｘ
軸を形成している多数のセンサーラインおよび他方の面（Ｂ面）に前記Ｙ軸を形
成している多数のセンサーラインが配置されている。
Ａ面とＢ面におけるそれぞれのＸ軸センサーラインとＹ軸センサーラインの配
置は、透明フィルムをＡ面の平面上から直視した場合、Ｘ軸のダイヤモンド型セ
ンサーの多数の平行したセンサーラインにおいて形成された多数の空隙部（ダイ
ヤモンド型空隙部）に、Ｙ軸のダイヤモンド型センサー部が配置されるように、
Ｘ軸のダイヤモンド型センサーラインとＹ軸のダイヤモンド型センサーラインと
を直交して配置することが必要である。そのために、Ｘ軸における多数のセン
サーラインにより形成される空隙部の形状と大きさが、Ｙ軸における多数のセン
サーラインのダイヤモンド型センサー部の形状と大きさがほぼ重なり合うことが
望ましい。
【００１８】
すなわち、Ｘ軸を形成する多数のダイヤモンド型センサー部は、平行して配置
され且つダイヤモンド型のセンサー部の位置が図１に示すように横方向に四辺形
の両端の先端部が同じ高さで配列されていることが望ましい。そうすることによ
って、Ｘ軸の四つのダイヤモンド型センサー部で形成される（囲まれる）空隙
部の形状と大きさは、ダイヤモンド型となり、その裏面（Ｂ面）においてＹ軸の
ダイヤモンド型センサー部が位置することになる。ここでＡ面におけるＸ軸を形
成する多数のダイヤモンド型センサー部の先端は、隣接するダイヤモンド型セン
サー部の先端と電気的に接触しないことが肝要である。同様にＢ面においても、
Ｙ軸を形成する多数のダイヤモンド型センサー部の先端は、隣接するダイヤモン
ド型センサー部の先端と電気的に接触しないことが肝要である。
かくしてＡ面において、多数の平行したセンサーラインによって形成された多
数の空隙部（ダイヤモンド型空隙部）に、Ｂ面における多数の平行したセン
サーラインによって形成されたダイヤモンド型センサー部が配置されることに
なる。
【００１９】
前述した如く、Ａ面とＢ面において、Ｘ軸の多数のセンサーラインとＹ軸の多
数のセンサーラインを直交するように配置することによって、Ｘ軸センサーライ
ンにおける接続部と、Ｙ軸のセンサーラインにおける接続部とは、Ａ面の平面図
から見た場合ほぼ同じ位置で直交した状態で配置されることになる。
本発明の導電性フィルムは、一枚の透明フィルムにおいて一方の面（Ａ面）お
よび他方の面（Ｂ面）に、それぞれ前述したようにＸ軸を形成するダイヤモンド
型センサー部の多数のセンサーラインおよびＹ軸を形成するダイヤモンド型セン
サー部の多数のセンサーラインが配置され、Ａ面の平面図から見た場合、Ａ面の
センサー部とＢ面のセンサー部とが重なり合わないように配置することが望まし
く、Ａ面のセンサー部とＢ面のセンサー部とは、両センサー部によって全てのダ
イヤモンド型の空隙部が充填されるように形成されることが望ましい。
【００２０】
前記したように、本発明の導電性フィルムは一枚の透明フィルムの両面に前記
した多数のダイヤモンド型センサー部を有するセンサーラインが形成され構造を
有しているが、実際に利用するに当っては、この導電性フィルムをさらにガラス
板或いは透明樹脂シートで表面保護した構造体であることが好ましい。このガラ
ス板としては厚みが０．５〜４ｍｍのものが望ましく、透明樹脂シートとしては
厚みが０．５〜２ｍｍのものが適当である。かかる透明樹脂としては、ポリカー
ボネート、アクリル樹脂、ポリオレフィンまたはポリシクロオレフィンが挙げら
れるが、ポリカーボネートが優れている。
本発明の導電性フィルムは、静電容量式タッチパネルの部材として適している。
特に（Ａ）面と（Ｂ）面に形成されている銅線は導電性に優れ、微細であっても
一部が破損または断線しても網状化されているため一組の導電ラインとして機
能が維持されているので大型画像のタッチパネル材料として有利である。  
【符号の説明】
【００２１】
１：    ダイヤモンド型センサー部      
２：    接続部
Ｘ−１：Ｘ軸センサーライン
Ｘ−２：Ｘ軸センサーライン
Ｘ−３：Ｘ軸センサーライン
Ｙ−１：Ｙ軸センサーライン
Ｙ−２：Ｙ軸センサーライン  
【図１】
2014071869.tif 000003
【図２】
2014071869.tif 000004